(57)【要約】      （修正有）【課題】有線と無線による電力供給手段で起こされる問題点を防ぎ、更にネジ検出装置の使用の利便性を高くするネジ検出装置を提供する。【解決手段】ネジ検出装置は、誘導ネジ１００と磁気誘導金属２００を含む。誘導ネジは誘導部材１３０と張力測定部材１４０を含み、誘導部材は誘導ネジ上に設けられており、張力測定部材は誘導ネジ内に設けられて誘導部材と電気的に接続され、張力測定部材は外部に張力信号を伝達する。磁気誘導金属が誘導部材に接近または離れることにより、張力測定部材が磁気誘導されて電力を発生し、更に該電力を誘導部材に供給し、それにより、張力測定部材は十分な電力を有して、誘導ネジの即時張力値を測定する機能を有する。【選択図】図１
0003197155.tif 000002
【実用新案登録請求の範囲】
【請求項１】
ネジ検出装置において、誘導ネジと、磁気誘導金属と、を含み、
前記誘導ネジは、該誘導ネジに設けられている誘導部材と、該誘導ネジ内に設けられ、かつ前記誘導部材と電気的に接続して外部に張力信号を伝達する張力測定部材と、を含み
前記磁気誘導金属は、前記誘導ネジに対して接近または離れることにより、前記誘導部材が磁気誘導されて電力を発生する、ネジ検出装置。
【請求項２】
ネジ検出装置において、誘導ネジと、磁気誘導金属と、ディスプレイと、を含み、
前記誘導ネジは、
第１凹部を有するネジヘッドと第２凹部を有するネジ部を含む本体と、
該第1凹部を密閉する上蓋と、
該上蓋に設けられて該第1凹部に向かっている誘導部材と、
該第2凹部に設けられて該誘導部材と電気的に接続され、かつ外部に張力信号を伝達する張力測定部材と、を含み、
前記磁気誘導金属は、誘導部材に対して接近または離れることにより、該誘導部材が磁気誘導されて電力を発生しており、
前記ディスプレイは、該張力測定部材と無線接続され、該ディスプレイは該張力信号を受信した後、該張力信号を表示する、ネジ検出装置。
【請求項３】
前記ディスプレイはサウンドで該張力測定部材の張力範囲を示す、請求項２に記載のネジ検出装置。
【請求項４】
前記ディスプレイは該張力信号を記憶する記憶部を更に含む、請求項２に記載のネジ検出装置。
【請求項５】
前記第1凹部と前記第2凹部が連通する、請求項２に記載のネジ検出装置。
【請求項６】
ネジ検出装置において、誘導ネジと、磁気誘導金属と、ディスプレイと、を含み、
前記誘導ネジは、
第１凹部を有するネジヘッドとネジ部を含む本体と、
該第1凹部を密閉する上蓋と、
該上蓋に設けられて該第1凹部に向かっている誘導部材と、
該第1凹部に設けられて該誘導部材と電気的に接続され、かつ外部に張力信号を伝達する張力測定部材と、を含み、
前記磁気誘導金属は、誘導部材に対して接近または離れることにより、該誘導部材が磁気誘導されて電力を発生しており、
前記ディスプレイは、該張力測定部材と無線接続され、該ディスプレイは該張力信号を受信した後、該張力信号を表示する、ネジ検出装置。
【請求項７】
前記ディスプレイはサウンドで該張力測定部材の張力範囲を示す、請求項６に記載のネジ検出装置。
【請求項８】
前記ディスプレイは該張力信号を記憶する記憶部を更に含む、請求項６に記載のネジ検出装置。
【請求項９】
ネジ検出装置において、誘導ネジと、磁気誘導金属と、ディスプレイと、を含み、
前記誘導ネジは、
第1凹部を有するネジヘッドと第2凹部を有するネジ部を含み、該第1凹部と該第2凹部が連結され、該第2凹部が中空のネジ孔を有する本体と、
ネジ本体と2つの締め付け部を含み、２つの該締め付け部は該ネジ本体の両端に位置する同軸ネジ部材と、
該第1凹部を密閉する上蓋と、
該上蓋に設けられて該第1凹部に向かっている誘導部材と、
該ネジ本体上に設けられて該誘導部材と電気的に接続され、かつ外部に張力信号を伝達する張力測定部材と、を含み、
該同軸ネジ部材は２つの該締め付け部を用いて該第2凹部の該中空のネジ孔に係合して該誘導ネジの本体と同軸になることにより、該同軸ネジ部材が該誘導ネジの本体上に加えられる張力に耐えることができ、
前記磁気誘導金属が誘導部材に接近、または離れることにより、該誘導部材が磁気誘導されて電力を発生しており、
前記ディスプレイは、該張力測定部材と無線接続され、該ディスプレイは該張力信号を受信して該張力信号を表示する、ネジ検出装置。
【請求項１０】
前記ディスプレイはサウンドを用いて該張力測定部材の張力範囲を示す、請求項９に記載のネジ検出装置。
【請求項１１】
前記ディスプレイは前記張力信号を記憶する記憶部を更に含む、請求項９に記載のネジ検出装置。
【考案の詳細な説明】
【技術分野】
【０００１】
本考案は、ネジの締付機構に関し、特に即時張力値の検出に応用されるネジ検出装置に関する。該ネジ検出装置は自己発電が可能であるため、非常に便利に使用することができる。
【背景技術】
【０００２】
ネジは２つのワークピースを互いに分離しないように一体に締付ける部材である。現在、安全面で考えると、精密科学技術分野ではネジの選択が非常に重要になっているため、使用者は定期的にネジの張力を受ける力が標準に達しているか否かを検出する必要がある。例は、飛行機、スペースシャトル、橋梁または鉄筋建築における組立てなどは、必要な張力に耐えるネジを用いて堅固に締付ける必要がある。最初のネジの張力の測定が正確になったとしても、後続での客観的条件の変化(例えば、老化、錆びの発生、振動または金属疲労など)が発生することもあるため、心配することなく安全に使用できるとは保障できない。
【０００３】
上記の問題点を解決するため、従来の張力検出装置が開示されている。該張力検出装置は電子ネジで、該ネジの内部にはセンサー、演算装置とディスプレイが設けられている。しかし、ディスプレイはネジの内部に固定されているため、該電子ネジの張力を検出する時、一定の角度で操作する場合では、操作者がディスプレイ上の張力データを順調に読み取ることができず、更に内部に設けられているディスプレイの機能が大幅に低減されている。
【０００４】
更に、電子ネジは、外部からネジ内のセンサー、演算装置とディスプレイに電力を供給する必要がある。その電力供給方式は２つの種類を有し、その1つ目は、有線接続により電子ネジに電極を供給し、その２つ目は、無線接続によって電子ネジに電力を供給している。有線接続の場合、特殊な環境(例えば、飛行機の翼またはネジがワークピースの深い箇所に締付けられた場合)で、その環境に耐える必要があり、無線接続の場合、電力の供給端を電力の受取端に合わせる必要があるため、互いに合っていなときは電力の供給ができなくなる。上記の問題によって、電子ネジはその使用が非常に多く制限されている。
【考案の概要】
【考案が解決しようとする課題】
【０００５】
本考案の目的は、有線と無線による電力供給手段で起こされる問題点を防ぎ、更にネジ検出装置の使用の利便性を高くするネジ検出装置を提供することである。
【課題を解決するための手段】
【０００６】
本考案の実施方式におけるネジ検出装置は、誘導ネジと磁気誘導金属を含む。誘導ネジは、誘導部材と張力測定部材を含む。誘導部材は誘導ネジ上に設けられ、張力測定部材は誘導ネジ内に設けられて誘導部材と電気的に接続されており、張力測定部材は外部に張力信号を伝達する。磁気誘導金属が誘導部材に接近しまたは離れることで、誘導部材が磁気誘導されて電力を発生し、更に該電力を張力測定部材に供給し、これにより、張力測定部材は十分な電力を有して誘導ネジの即時張力値を検出することができる。
【０００７】
本考案の他の実施方式によるネジ検出装置は、誘導ネジ、磁気誘導金属とディスプレイを含む。誘導ネジは、本体、上蓋、誘導部材と張力測定部材を含む。本体はネジヘッドとネジ部を含み、ネジヘッドは第1凹部を有し、ネジ部は第2凹部を有する。上蓋は第1凹部を密閉し、誘導部材は上蓋に設けられて第1凹部に対向し、張力測定部材は第2凹部に設けられて誘導部材と電気的に接続されており、張力測定部材は外部に張力信号を伝達する。ディスプレイは張力測定部材と無線接続して張力信号を受信し、該ディスプレイは該張力信号を受信する。磁気誘導金属が誘導部材に接近または離れることで、誘導部材が磁気誘導されて電力を発生し、更に該電力を張力測定部材に供給し、それにより、張力測定部材が十分な電力を有して、誘導ネジの即時張力値を測定することができる。
【０００８】
上述の実施方式の他の実施例において、前記ディスプレイはサウンドを用いて張力測定部材の張力範囲を示すことができる。前記ディスプレイは記憶部を更に有して、張力信号を記憶することができる。前記第1凹部は第2凹部に連通しても良い。
【０００９】
本考案は他の実施方式により、ネジ検出装置を提供する。該ネジ検出装置は、誘導ネジ、磁気誘導金属とディスプレイを含む。誘導ネジは、本体、上蓋、誘導部材と張力測定部材を含む。前記本体は、ネジヘッドとネジ部を含み、ネジヘッドは第1凹部を有し、上蓋は第1凹部を密閉し、誘導部材は上蓋に設けられて第1凹部に向かっており、張力測定部材は第1凹部に設けられて誘導部材と電気的に接続され、張力測定部材は外部に張力信号を伝達する。ディスプレイは張力測定部材と無線接続して張力信号を受信し、ディスプレイは張力信号を表示する。磁気誘導金属が誘導部材に接近または離れることにより、張力測定部材が磁気誘導されて電力を発生し、更に該電力を誘導部材に供給し、それにより、張力測定部材が十分な電力を有して、誘導ネジの即時張力値を測定することができる。
【００１０】
前記実施方式の他の実施例において、前記ディスプレイはサウンドを用いて張力測定部材の張力範囲を提示することができる。前記ディスプレイは記憶部を更に有して張力信号を記憶することができる。
【００１１】
本考案は更なる実施方式により、ネジ検出装置を提供する。該ネジ検出装置は、誘導ネジ、磁気誘導金属とディスプレイを含む。誘導ネジは、本体、同軸ネジ部材、上蓋、誘導部材と張力測定部材を含む。前記本体は、ネジヘッドとネジ部を含み、ネジヘッドは第1凹部を有し、ネジ部は第2凹部を有し、第2凹部は中空のネジ孔を含む。同軸ネジ部材はネジ本体と2つの締め付け部を含み、２つの締め付け部はネジ本体の両端に位置し、同軸ネジ部材は、2つの締め付け部によって第2凹部の中空のネジ孔に係合され、かつ誘導ネジの本体と同軸になるため、同軸ネジ部材は誘導ネジの本体に加えられる張力に耐えることができる。上蓋は第1凹部を密閉し、誘導部材は上蓋に設けられて第1凹部に向かっており、張力測定部材は、同軸ネジ部材のネジ本体に設けられて誘導部材と電気的に接続され、かつ外部に張力信号を伝達する。ディスプレイは張力測定部材と無線接続して張力信号を受信し、ディスプレイは該張力信号を表示する。磁気誘導金属が誘導部材に接近または離れることにより、張力測定部材が磁気誘導されて電力を発生し、更に該電力を誘導部材に供給し、それにより、張力測定部材が十分な電力を有して、誘導ネジの即時張力値を測定することができる。
【００１２】
前記実施方式の他の実施例において、前記ディスプレイはサウンドを用いて張力測定部材の張力範囲を示すことができる。前記ディスプレイは記憶部を更に含んで、張力信号を記憶することができる。
【００１３】
更に、前記磁気誘導金属とディスプレイは一体に組合されて、便利に同時に測定し、更に磁気を誘導して電力を発生することができる。
【図面の簡単な説明】
【００１４】
【図１】図１は、本考案の実施方式におけるネジ検出装置を示す立体図である。
【図２】図２は、本考案の他の実施方式におけるネジ検出装置を示す立体図である。
【図３】図３は、本考案の更なる実施方式におけるネジ検出装置を示す立体図である。
【図４】図４は、本考案の更なる実施方式におけるネジ検出装置を示す立体図である。
【考案を実施するための形態】
【００１５】
図1は、本考案の実施方式におけるネジ検出装置を示す立体図である。図1に示されたように、本実施方式のネジ検出装置は、誘導ネジ100、磁気誘導金属200とディスプレイ300を含む。
【００１６】
誘導ネジ100は、本体110、上蓋120、誘導部材130、張力測定部材140を含む。前記本体110は、多角形のネジヘッド111とネジ部112を含み、ネジヘッド111は第1凹部111Aを有し、ネジ部112は第2凹部112Aを有し、上蓋120は第1凹部111Aを密閉し、第2凹部蓋112Bは第2凹部112Aを密閉し、誘導部材130は上蓋120に設けられて第1凹部111Aに向かっており、張力測定部材140は、第2凹部112Aに設けられて誘導部材130と電気的に接続され、かつ外部に張力信号を伝達する。張力測定部材140はディスプレイ300と無線接続され、該ディスプレイ300は張力信号を受信して表示する。磁気誘導金属200が誘導部材130に接近、または離れることにより、誘導部材130が張力測定部材140に電力を供給し、それにより、張力測定部材140が十分な電力を有して、誘導ネジ100の即時張力値を測定することができる。
【００１７】
図2は、本考案における他の実施形式の他の実施例のネジ検出装置を示す立体図である。図2に示されたように、本実施例のネジ検出装置は、誘導ネジ100、磁気誘導金属200、ディスプレイ300を含む。
【００１８】
誘導ネジ100は、本体110、上蓋120、誘導部材130、張力測定部材140を含む。前記本体110は多角形のネジヘッド111とネジ部112を含み、ネジヘッド111は第1凹部111Aを有し、ネジ部112は第2凹部112Aを有し、第1凹部111Aと第2凹部112Aは連通して配線に用いられている。上蓋120は第1凹部111Aを密閉し、誘導部材130は上蓋120に設けられて第1凹部111Aに向かっており、張力測定部材140は、第2凹部112Aに設けられて誘導部材130と電気的に接続され、かつ外部に張力信号を伝達する。張力測定部材140はディスプレイ300と無線接続され、ディスプレイ300は張力信号を受信して表示する。磁気誘導金属200が誘導部材130に接近、または離れることにより、誘導部材130が張力測定部材140に電力を供給し、それにより、張力測定部材140は十分な電力を有して、誘導ネジ100の即時張力値を測定することができる。
【００１９】
図3は、本考案における更なる実施方式を示す立体図である。図3に示されたように、本実施方式のネジ検出装置は、誘導ネジ100、磁気誘導金属200、ディスプレイ300を含む。
【００２０】
誘導ネジ100は、本体110、上蓋120、誘導部材130、張力測定部材140を含む。本体110は、多角形のネジヘッド111とネジ部112を含み、ネジヘッド111は第1凹部111Aを有する。上蓋120は第1凹部111Aを密閉し、誘導部材130は上蓋120に設けられて第1凹部111Aに向かっており、張力測定部材140は、第1凹部111Aに設けられて誘導部材130と電気的に接続され、かつ外部に張力信号を伝達する。張力測定部材140はディスプレイ300と無線接続されており、ディスプレイ300は張力信号を受信して表示する。磁気誘導金属200が誘導部材130に接近、または離れることにより、誘導部材130が張力測定部材140に電力を供給し、それにより、張力測定部材140は十分な電力を有して、誘導ネジ100の即時張力値を測定することができる。
【００２１】
図4は、本考案における更なる実施方式を示す立体図である。図4に示されたように、本実施方式のネジ検出装置は、誘導ネジ100、磁気誘導金属200、ディスプレイ300を含む。磁気誘導金属200とディスプレイ300は一体に組合されて、便利に同時に測定し、更に磁気を誘導して電力を発生することができる。
【００２２】
誘導ネジ100は、本体110、上蓋120、誘導部材130、張力測定部材140、同軸ネジ部材150を含む。本体110は、多角形のネジヘッド111とネジ部112を含み、ネジヘッド111は第1凹部111Aを有し、ネジ部112は第2凹部112Aを有し、第2凹部112Aは中空のネジ孔112ABを有する。同軸ネジ部材150はネジ本体151と2つの締め付け部152を含み、２つの締め付け部152はネジ本体151の両端に位置し、同軸ネジ部材150は2つの締め付け部152により第2凹部112Aの中空のネジ孔112ABに係合されて誘導ネジ100の本体110と同軸になるため、同軸ネジ部材150は誘導ネジ100の本体110に加える張力に更に耐えることができる。上蓋120は第1凹部111Aを密閉し、誘導部材130は上蓋120に設けられて第1凹部111Aに向かっており、張力測定部材140は同軸ネジ部材150のネジ本体151に設けられており、張力測定部材140は誘導部材130と電気的に接続して外部に張力信号を伝達する。張力測定部材140はディスプレイ300と無線接続され、ディスプレイ300は張力信号を受信して表示する。磁気誘導金属200が誘導部材130に接近、または離れることにより、誘導部材130が張力測定部材140に電力を供給し、それにより、張力測定部材140は十分な電力を有して、誘導ネジ100の即時張力値を測定することができる。
【００２３】
２つの前記締め付け部152は溝（図に示されていない）を有しても良く、該溝はネジヘッド111に接近して設けられ、その内縁はネジヘッド111の底端に接する。2つの締め付け部152は溝を有しなくても良く、その外縁はネジ部112の底端に接する。これにより、ネジ本体110が耐える張力は、その具体的の作用位置を任意にしても、2つの締め付け部152を通じてネジ本体151に伝達されることができる。
【００２４】
前記張力測定部材140はディスプレイ300と無線接続されており、その無線による接続はブルートゥースまたはナショナルフットボールコンファレンス(Near Field Communication;  NFC)等を用いても良い。
【００２５】
前記誘導部材130はテスラコイルであっても良く、磁気誘導金属200が誘導部材130に接近、または離れることにより、誘導部材130の磁場の磁力線が切断して変更されるため、誘導部材130が誘導起電力を生成し、更に誘導部材130が張力測定部材140に電力を供給し、これにより、張力測定部材140が十分な電力を有して、誘導ネジ100の即時張力値を測定することができる。
【００２６】
前記ディスプレイ300は、信号伝達部材、比対分析部材、記憶部、ソーラー発電パネル（該部材は通常の従来技術を用い、ここでは図に示して説明しない）を含んでもよい。信号伝達部材は、受信した張力信号を比対分析部材に送信し、更に該比対分析部材は代表的な張力値をディスプレイ300上に表示させ、該ディスプレイ300に表示された数値が張力値である。記憶部は張力値を測定する誘導ネジ100の較正原点を予め記憶し、更に受信した張力信号を記憶することにより、使用者が複数の誘導ネジ100を測定した後、測定した各張力値を読み取ることができる。ソーラー発電パネルは光源の照射によって電力を発生し、その発生した電力をディスプレイ300が使用する。
【００２７】
前記ディスプレイ300はデータ表示方式に設定されても良い。張力測定部材140の伝達する張力信号は正確な張力データに変換されて、ディスプレイ300により表示される。前記ディスプレイ300はカラー表示方式に設定されても良いため、異なる張力範囲を異なるカラーに表示させることができる。前記ディスプレイ300はサウンド表示方式に設定されても良いため、通常と異常を示す音声方式で表示することも可能である。これにより、作業員はディスプレイ300上に表示された張力データ、カラー表示または音声により、本体110の所要する張力を比較、判断し、更にネジを交換するか否か、または関連機具の調整が必要か否かのネジの締付けを即時に判断することで、効果的に本体110を測定する時の精密ワークにおけるネジの人為的誤差を低減させることができる。
【００２８】
前記張力測定部材140は、半分が導体構造であっても良く、通常はモス電界効果トランジスタ（MOSFET）の集積回路を用い、半導体材料内の引張りまたは圧縮張力により、電子または電子ホールを修正する恐れがある。前記モス電界効果トランジスタはグラフェン材を用いてその特徴を増やす必要がある。前記張力測定部材140はシート状または環状構造を有しても良い。
【００２９】
上述により、本考案の磁気誘導により電力を発生する手段は以下の特徴を有する。その１つ目として、ネジ自身が張力測定部材に電力を供給し、その2つ目として、ディスプレイとネジが有線により接続される必要がなく、その3つ目として、ディスプレイとネジが無線接続される際に位置合わせ問題を改善する。そのため、本考案におけるネジ検出装置は便利に応用することができ、更に適合性も柔軟であるため、精密部品の検出過程を大幅に簡素化させることができる。
【００３０】
本考案は上述によって実施方式を示しているが、該実施方式に限定されず、当業者は、本考案の範囲から離れない状態で、いろんな変更と装飾を行なっても、本考案の実用新案登録請求の範囲内の技術特徴を基準にしなければならない。
【符号の説明】
【００３１】
100 誘導ネジ
110 本体
111 ネジヘッド
111A 第1凹部
112 ネジ部
112A 第2凹部
112AB 中空のネジ孔
112B 第2凹部蓋
120 上蓋
130 誘導部材
140 張力測定部材
150 同軸ネジ部材
151 ネジ本体
152 締め付け部
200 磁気誘導の金属
300 ディスプレイ
【図１】
0003197155.tif 000003
【図２】
0003197155.tif 000004
【図３】
0003197155.tif 000005
【図４】
0003197155.tif 000006